(57)【要約】【目的】ゆったり入浴しながら、省湯量化を図ることができる簡易型車椅子入浴装置を提供することにある。【構成】本体部（２）と、該本体部（２）に平面視で互いの間隔を基方を直線的に漸狭にして設けられる前記左、右サイドカバー（３ａ）（３ｂ）と、幅が平面視で直線的に先細形状に形成された人体載置部（４）を有する車椅子（５）とからなり、車椅子（５）を、左、右サイドカバー（３ａ）（３ｂ）間に押し込むだけで、該左、右サイドカバー（３ａ）（３ｂ）に人体載置部（４）の左、右側壁（８ａ）（８ｂ）がシールされ浴槽（９）が形成される簡易型車椅子入浴装置である。【選択図】      図１
2004148038.tif 000002
【特許請求の範囲】
【請求項１】
本体部（２）と、該本体部（２）に平面視で互いの間隔を基方を直線的に漸狭にして設けられる左、右サイドカバー（３ａ）（３ｂ）と、幅が平面視で直線的に先細形状に形成された人体載置部（４）を有する車椅子（５）とからなり、
車椅子（５）を、左、右サイドカバー（３ａ）（３ｂ）間に押し込むだけで、該左、右サイドカバー（３ａ）（３ｂ）に人体載置部（４）の左、右側壁（８ａ）（８ｂ）がシールされ浴槽（９）が形成される簡易型車椅子入浴装置。
【請求項２】
左、右サイドカバー（３ａ）（３ｂ）の先部は本体部（２）に軸着され、本体部（２）と左、右サイドカバー（３ａ）（３ｂ）にわたって、該左、右サイドカバー（３ａ）（３ｂ）を開閉移動させる開閉駆動体（５４）が付加設置され、
左、右サイドカバー（３ａ）（３ｂ）が閉移動すると、左、右サイドカバー（３ａ）（３ｂ）が、車椅子（５）の人体載置部（４）の左、右側壁（８ａ）（８ｂ）に水密に押圧し、浴槽（９）が形成される請求項１記載の簡易型車椅子入浴装置。
【請求項３】
左、右サイドカバー（３ａ）（３ｂ）の先部は本体部（２）に軸着され、本体部（２）と左、右サイドカバー（３ａ）（３ｂ）にわたって、該左、右サイドカバー（３ａ）（３ｂ）を開閉移動させる開閉駆動体（５４）が付加設置され、
左、右サイドカバー（３ａ）（３ｂ）が閉移動すると、左、右サイドカバー（３ａ）（３ｂ）の間隔中に押し入れられた車椅子（５）の人体載置部（４）の左、右側壁（８ａ）（８ｂ）に、左、右サイドカバー（３ａ）（３ｂ）が微小空間をもって接近し、左、右サイドカバー（３ａ）（３ｂ）に設けたシール材（１３）が人体載置部（４）に水密に当接し浴槽（９）が形成される請求項１記載の簡易型車椅子入浴装置。
【請求項４】
人体載置部（４）は、所定幅を有した先細形状の水を透過しない硬性板状部材を、人体を座位並びに仰臥位に支持できるよう側面視略Ｗ字形状に屈曲して形成され、後傾回動可能であることを特徴とする請求項１記載の簡易型車椅子入浴装置。
【請求項５】
シール材（１３）は可撓チューブ（１１）であり、左、右サイドカバー（３ａ）（３ｂ）には、人体載置部（４）に当接する位置に左、右可撓チューブ（１１ａ）（１１ｂ）が設けられ、前記左、右可撓チューブ（１１ａ）（１１ｂ）は、連通し、一個のコンプレッサー（１４）で、左右同圧に制御できることを特徴とする請求項３記載の簡易型車椅子入浴装置。
【請求項６】
サイドカバー（３）の開閉時及び湯の移動時に発音する表示器（１５）が、本体部（２）に付加設置されたことを特徴とする請求項１記載の簡易型車椅子入浴装置。
【請求項７】
貯湯槽（１７）の湯が高温の時に、湯を車椅子（５）へ移動させようとすると、湯は排水され且つ表示器（１５）にアラーム表示されることを特徴とする請求項１記載の簡易型車椅子入浴装置。
【請求項８】
車椅子（５）にガイドローラー（２１）が設けられ、
該ガイドローラー（２１）と接触し、進入する車椅子（５）の左右のサイドカバー（３）との間隔が等間隔を保持しつつ車椅子（５）を案内する案内路（２０）が浴室床（１）に設けられ、前記案内路（２０）は、入浴可能状態の所定位置にセッティングした車椅子（５）が前方に移動しないように阻止し、
固定機構（６）は、サイドカバー（３）に設けられるロック金具（１２）でなり、所定位置にセッティングした車椅子（５）が後方に移動しないように阻止することを特徴とする請求項１記載の簡易型車椅子入浴装置。
【請求項９】
サイドカバー（３）の可撓チューブ（１１）に当接し人体載置部（４）の側壁（８）にその延長方向に添って凸条（１０）が設けられることを特徴とする請求項１記載の簡易型車椅子入浴装置。
【発明の詳細な説明】
【０００１】
【産業上の利用分野】
本発明は、身体障害者や養護老人等（以下入浴者という）の入浴を介助するための簡易型車椅子入浴装置に関する。
【０００２】
【従来の技術】
【特許文献１】特許第２６２８５６８号公報
従来技術として特許文献１に、バスタブと、支持台と、揺動固定手段と、チェアーとからなる介護用バスが開示されている。
【０００３】
【発明が解決しようとする課題】
前記従来技術に係る介護用バスは、チェアーの座席部分を浴槽に入れる方式であるが、バスタブと座席部分との隙間がデッドスペースとなるために省湯量化には限界があった。入浴後浴槽水を捨てる使い捨て仕様の入浴装置においてはゆったり入浴しながら、省湯量化を図ることが望まれている。
【０００４】
本発明の目的は、従来の要望を解決したもので、ゆったり入浴しながら、省湯量化を図ることができる簡易型車椅子入浴装置を提供することにある。
【０００５】
【課題を解決するための手段】
即ち、本発明は、本体部（２）と、該本体部（２）に平面視で互いの間隔を基方を直線的に漸狭にして設けられる左、右サイドカバー（３ａ）（３ｂ）と、幅が平面視で直線的に先細形状に形成された人体載置部（４）を有する車椅子（５）とからなり、車椅子（５）を、左、右サイドカバー（３ａ）（３ｂ）間に押し込むだけで、該左、右サイドカバー（３ａ）（３ｂ）に人体載置部（４）の左、右側壁（８ａ）（８ｂ）がシールされ浴槽（９）が形成される簡易型車椅子入浴装置である。
又、左、右サイドカバー（３ａ）（３ｂ）の先部は本体部（２）に軸着され、本体部（２）と左、右サイドカバー（３ａ）（３ｂ）にわたって、該左、右サイドカバー（３ａ）（３ｂ）を開閉移動させる開閉駆動体（５４）が付加設置され、左、右サイドカバー（３ａ）（３ｂ）が閉移動すると、左、右サイドカバー（３ａ）（３ｂ）が、車椅子（５）の人体載置部（４）の左、右側壁（８ａ）（８ｂ）に水密に押圧し、浴槽（９）が形成される。
更に、左、右サイドカバー（３ａ）（３ｂ）の先部は本体部（２）に軸着され、本体部（２）と左、右サイドカバー（３ａ）（３ｂ）にわたって、該左、右サイドカバー（３ａ）（３ｂ）を開閉移動させる開閉駆動体（５４）が付加設置され、左、右サイドカバー（３ａ）（３ｂ）が閉移動すると、左、右サイドカバー（３ａ）（３ｂ）の間隔中に押し入れられた車椅子（５）の人体載置部（４）の左、右側壁（８ａ）（８ｂ）に、左、右サイドカバー（３ａ）（３ｂ）が微小空間をもって接近し、左、右サイドカバー（３ａ）（３ｂ）に設けたシール材（１３）が人体載置部（４）に水密に当接し浴槽（９）が形成される。
更に又、人体載置部（４）は、所定幅を有した先細形状の水を透過しない硬性板状部材を、人体を座位並びに仰臥位に支持できるよう側面視略Ｗ字形状に屈曲して形成され、後傾回動可能である。
又、シール材（１３）は可撓チューブ（１１）であり、左、右サイドカバー（３ａ）（３ｂ）には、人体載置部（４）に当接する位置に左、右可撓チューブ（１１ａ）（１１ｂ）が設けられ、前記左、右可撓チューブ（１１ａ）（１１ｂ）は、連通し、一個のコンプレッサー（１４）で、左右同圧に制御できる。
更に、サイドカバー（３）の開閉時及び湯の移動時に発音する表示器（１５）が本体部（２）に付加設置された。
更に又、貯湯槽（１７）の湯が高温の時に、湯を車椅子（５）へ移動させようとすると、湯は排水され且つ表示器（１５）にアラーム表示される。
又、車椅子（５）にガイドローラー（２１）が設けられ、該ガイドローラー（２１）と接触し、進入する車椅子（５）の左右のサイドカバー（３）との間隔が等間隔を保持しつつ車椅子（５）を案内する案内路（２０）が浴室床（１）に設けられ、前記案内路（２０）は、入浴可能状態の所定位置にセッティングした車椅子（５）が前方に移動しないように阻止し、固定機構（６）は、サイドカバー（３）に設けられるロック金具（１２）でなり、所定位置にセッティングした車椅子（５）が後方に移動しないように阻止する。
更に、サイドカバー（３）の可撓チューブ（１１）に当接し人体載置部（４）の側壁（８）にその延長方向に添って凸条（１０）が設けられる。
【０００６】
【作用】
サイドカバー３と車椅子５とで形成した簡易型車椅子入浴装置を用いて、入浴者を入浴させる。
前記左、右サイドカバー３ａ、３ｂは、平面視で互いの間隔を先狭にして設けられている。
【０００７】
車椅子５が有する人体載置部４は、幅が平面視で先細形状に形成され、後傾回動可能である。
左、右サイドカバー３ａ、３ｂに設けられた固定機構６は、左、右サイドカバー３ａ、３ｂの間に押し込んだ車椅子５を固定し逆戻りさせない。
【０００８】
人体載置部４を後傾回動させた車椅子５は、固定式の左、右サイドカバー３ａ、３ｂ間に押し込むだけで、該左、右サイドカバー３ａ、３ｂに人体載置部４の左、右側壁８ａ、８ｂが水密に当接し、浴槽９を形成する。
【０００９】
本体部２に、左、右サイドカバー３ａ、３ｂの先部を回動軸７で軸着する。
開閉駆動体５４は、本体部２と左、右サイドカバー３ａ、３ｂにわたって、該左、右サイドカバー３ａ、３ｂを開閉移動させる。
左、右サイドカバー３ａ、３ｂが閉移動すると、左、右サイドカバー３ａ、３ｂが車椅子５の人体載置部４の左、右側壁８ａ、８ｂに水密に押圧し、浴槽９を形成する。
【００１０】
本体部２に、左、右サイドカバー３ａ、３ｂの先部を回動軸７で軸着し、前記左、右サイドカバー３ａ、３ｂにシール材１３を設ける。
左、右サイドカバー３ａ、３ｂが閉移動すると、左、右サイドカバー３ａ、３ｂの互いの間隔が調節され、左、右サイドカバー３ａ、３ｂは前記間隔中に押し入れられた車椅子５の人体載置部４の左、右側壁８ａ、８ｂに、微小空間をもって停止し、その後左、右サイドカバー３ａ、３ｂに設けたシール材１３が前記微小空間内に膨張し左、右側壁８ａ、８ｂに水密に当接し浴槽９を形成する。
【００１１】
人体載置部４は、所定幅を有した先細形状の水を透過しない硬性板状部材を、人体を座位並びに仰臥位に支持できるよう側面視Ｗ字形状に屈曲して形成する。
【００１２】
シール材１３は可撓チューブ１１であり、左、右サイドカバー３ａ、３ｂには、人体載置部４に当接する位置に左、右可撓チューブ１１ａ、１１ｂが設けられ、前記左、右可撓チューブ１１ａ、１１ｂは、連通し、一個のコンプレッサー１４で、左右同圧に制御できる。可撓チューブ１１は、加圧された空気が圧入されると膨張し、人体載置部４と左、右サイドカバー３ａ、３ｂの間にあって、人体載置部４と左、右サイドカバー３ａ、３ｂとをシールする。
【００１３】
表示器１５は、サイドカバー３の開閉時及び湯の移動時に音を発する。
【００１４】
貯湯槽１７の湯が高温の時に、湯を浴槽９へ移動させようとすると、制御器１６は貯湯槽排水弁１８を開け、湯を排水する。同時に、表示器１５はアラーム表示する。
【００１５】
案内路２０が浴室床１に設けられ、車椅子５に設けられたガイドローラー２１は、案内路２０に当接しながら車椅子５を好適位置に案内する。
案内路２０は、車椅子５が左、右サイドカバー３ａ、３ｂに接触しないようにしつつ所定位置まで案内する。
入浴可能状態の所定位置にセッティングした車椅子５が、前方に移動しないように阻止する。
固定機構６は、サイドカバー３に設けられるロック金具１２でなり、所定位置にセッティングした車椅子５が後方に移動しないように阻止する。
【００１６】
車椅子５をサイドカバー３でシールする時、人体載置部４の側壁８にその延長方向に添って設けられている凸条１０が、サイドカバー３に設けられた可撓チューブ１１に当接し、シール作用を強化する。
【００１７】
【実施例】
図１乃至図１５に示す第１実施例は、浴室床１に設置される本体部２と、平面視で互いの間隔を先細にして設けられるサイドカバー３（左・右サイドカバー３ａ、３ｂ）と、幅が平面視で先細形状に形成された人体載置部４を、後傾回動可能に有する車椅子５と、左・右サイドカバー３ａ、３ｂに設けられ、左・右サイドカバー３ａ、３ｂの間に押し込んだ車椅子５を逆戻りさせない固定機構６とからなる。
【００１８】
左・右サイドカバー３ａ、３ｂの基部は、本体部２に軸着される。
前記左・右サイドカバー３ａ、３ｂは、平面視で互いの間隔を基部方向へ行くに従って狭小にして設けられる。
【００１９】
車椅子５は、幅が平面視で先細に形成された人体載置部４を、車椅子回動軸６２を軸心にして後傾回動可能に有する。
人体載置部４を後傾回動させた車椅子５は、左・右サイドカバー３ａ、３ｂ間に押し込むだけで、該左・右サイドカバー３ａ、３ｂに人体載置部４の左、右側壁８ａ、８ｂが水密に当接し、浴槽９が形成される。
【００２０】
人体載置部４は、所定幅を有した先細形状の水を透過しない硬性板状部材を、人体を座位並びに仰臥位に支持できるよう側面視Ｗ字形状に屈曲して形成されたものである。
【００２１】
人体載置部４の側壁８にその延長方向に添って凸条１０が二条設けられる。左・右サイドカバー３ａ、３ｂが車椅子５をシールする時、凸条１０はサイドカバー３の可撓チューブ１１に当接し、シール作用を強化するものである。
【００２２】
固定機構６は、左・右サイドカバー３ａ、３ｂに設けられ、左・右サイドカバー３ａ、３ｂの間に押し込んだ車椅子５を逆戻りさせないものである。前記固定機構６はサイドカバー３に設けられるロック金具１２でなり、所定位置にセッティングした車椅子５が後方に移動しないように阻止する。
【００２３】
開閉駆動体５４は、本体部２と左・右サイドカバー３ａ、３ｂにわたって設けられ、該左・右サイドカバー３ａ、３ｂを開閉移動させるものである。
左・右サイドカバー３ａ、３ｂが閉移動すると、左・右サイドカバー３ａ、３ｂの互いの間隔が調節される。即ち、側壁８とサイドカバー３の間隔を僅かに空けたり、又、この空間を取らず側壁８にサイドカバー３を当接させたりする。
【００２４】
前記間隔中に押し入れられた車椅子５の人体載置部４の左、右側壁８ａ、８ｂに、左、右サイドカバー３ａ、３ｂが接近する。
左、右サイドカバー３ａ、３ｂに設けたシール材１３が人体載置部４に水密に当接し浴槽９が形成される。
更に続けて、左・右サイドカバー３ａ、３ｂを閉移動させると、左・右サイドカバー３ａ、３ｂが、車椅子５の人体載置部４の左、右側壁８ａ、８ｂに水密に押圧する。
【００２５】
シール材１３は可撓チューブ１１であり、左、右サイドカバー３ａ、３ｂには、人体載置部４に当接する位置に左、右可撓チューブ１１ａ、１１ｂが設けられ、前記左、右可撓チューブ１１ａ、１１ｂは、連通され、一個のコンプレッサー１４に繋がっており、左、右可撓チューブ１１ａ、１１ｂは同圧に制御できる。
【００２６】
サイドカバー３の開閉時及び湯の移動時に発音する表示器１５が本体部２に付加設置される。
【００２７】
制御器１６は、諸電磁弁及び表示器１５を制御するものであり、貯湯槽１７の湯が入浴に不適当な温度の時に、該湯を浴槽９へ移動させようとすると貯湯槽排水弁１８を開け、湯は排水される。更に、制御器１６は、貯湯槽１７の湯が高温の時には、表示器１５のランプ１９を点滅させる。
【００２８】
浴室床１に本体部２に連結される案内路２０が設置される。案内路２０は、車椅子５を入浴可能状態の所定位置に案内すると共に、所定位置にセッティングした車椅子５が前方に移動しないように阻止するものである。
【００２９】
車椅子５にガイドローラー２１が設けられ、該ガイドローラー２１は、前記案内路２０に当接し、該車椅子５を左、右サイドカバー３ａ、３ｂの間に押し込む時、車椅子５を好適位置に案内するものである。
【００３０】
図１中、３１はシール機構部、３５はハンドシャワー、５９は浴槽足側排水口、６０は浴槽臀部側排水口、図２中、３０は車椅子位置検出スイッチ、３２はサイドカバー内壁、図３中、２２は手摺り、２３はターンテーブル、２４は回動ロック解除レバー、２５はキャスター、５３は支持柱、６１は伸縮体、図８中、２６はサイドカバー開閉ロッド、２７はユニバーサルジョイント、２８はガイド、２９はローラー、５５はアクチュエーター、図１２中、３３は補強材、３４はマット、図１３中、３６はシャワーバルブ、３７はシャワーミキシング、３８はストレーナー、３９は減圧弁、４０は電子制御ミキシング、４１はミキシング温度センサー、４２はガラス管、４３は貯湯槽下位フロートセンサー、４４は貯湯槽中位フロートセンサー、４５は貯湯槽上位フロートセンサー、４６はオーバーフロー口、４７は浴槽給湯口、４８は肩掛けシャワー、４９は浴槽下位フロートセンサー、５０は浴槽上位フロートセンサー、５１はポンプ、５２は浴槽排水弁、図１４中、６３は前側手摺り、図１５中、６４は押しハンドルである。
【００３１】
実施例を用いて、入浴者を入浴させるに際し、初回入浴時は、入浴に先だって、貯湯槽１７に適温に混合した湯を給湯する。尚、２回目以降の入浴使用時は、給湯中止を指示しない限り自動補給されるので、給湯操作は不要である。
【００３２】
次に、入浴者を車椅子５に乗せる。その動作は、先ず、入浴者の臀部をターンテーブル２３に載せ、入浴者を回転させ、車椅子５の正面へ向ける。
手摺り２２は、移乗時には上方へ回動させておき、入浴者が乗った後に下方へ回動させて戻し、入浴者は該手摺り２２を掴む。
【００３３】
人体載置部４を後傾回動させ、入浴者をリクライニング姿勢にする。その際、車椅子５の回動ロック解除レバー２４を握り、車椅子回動軸６２を中心に人体載部４をゆっくりと後方に回動させ、入浴姿勢にする。
【００３４】
左、右サイドカバー３ａ、３ｂが開いていることを確認した後、入浴者を乗せた車椅子５を左、右サイドカバー３ａ、３ｂの間隔へ押し込む。車椅子５を案内路２０に沿って本体部２の手前まで移動し、所定位置へセッティングする。
【００３５】
車椅子５を押し込むと、所定位置で案内路２０により車椅子５は前進を阻止される。車椅子５が所定位置に到達した時、車椅子位置検出スイッチ３０が作動し、「ピンポン」と表示器１５から報知音が発生される。
【００３６】
次に、操作者は、人体載置部４と左、右サイドカバー３ａ、３ｂの間に入浴者の手足が挟まれないことを確認した後、開閉駆動体５４を作動させ、左、右サイドカバー３ａ、３ｂを閉回動させる。即ち、アクチュエーター５５を縮小させ、サイドカバー開閉ロッド２６で左、右サイドカバー３ａ、３ｂを引き寄せる。左、右サイドカバー３ａ、３ｂが所定の角度に至ると自動停止する。
【００３７】
左、右サイドカバー３ａ、３ｂが閉まると、ロック金具１２が支持柱５３に掛かり車椅子５の後退移動を阻止し、該車椅子５は後退移動しない。
左、右サイドカバー３ａ、３ｂが閉回動中は、表示器１５からアラ−ム音が発生する。他の実施例では、アラ−ム音の代わりに、繰り返し発声される音声アナウンスとしてもよい。
【００３８】
次に、コンプレッサー１４を駆動し、可撓チューブ１１に加圧空気を供給する。可撓チューブ１１は、膨張し人体載置部４の両側壁８ａ、８ｂと左、右サイドカバー３ａ、３ｂをシールする。
【００３９】
可撓チューブ１１が一定圧になるとコンプレッサー１４は停止する。
可撓チューブ１１は、人体載置部４の両側壁８ａ、８ｂに二本の凸条１０に押し当たり、凸条１０は人体載置部４の両側壁８ａ、８ｂと左、右サイドカバー３ａ、３ｂとのシールを強化する。
【００４０】
人体載置部４はＷ字形状であり、該人体載置部４と左、右サイドカバー３ａ、３ｂとで貯湯可能な浴槽９を形成する。
本体部２の上部に設けられた貯湯槽１７に貯まっている湯を浴槽９へ供給する。該供給中は表示器１５からメロディ音が発生する。湯が浴槽９内の適正水位に至ると自動停止する。
【００４１】
浴槽９への給湯は、シール機構部３１が作動した後浴槽９が形成されている時、及び、貯湯槽１７に所定量の湯が貯まっている時、及び、貯湯槽１７内の湯の温度が適温である時の三条件が揃った時に行なわれる。
【００４２】
給湯により入浴が行なわれる。肩掛けシャワー４８を随時使用して肩を加温する。増し湯は浴槽９の湯量に関係なく随時行える。ハンドシャワー３５は入浴者の予洗、後洗に適宜使用する。
前記浴槽給湯口４７、浴槽足側排水口５９、浴槽臀部側排水口６０、オーバーフロー口４６等はサイドカバー３に設けられる。この構成によれば、車椅子５側に給排水口を設けないので、車椅子５を簡素に構成でき、且つ、安価に製作できる。
【００４３】
貯湯槽１７内の湯温が入浴に適さない温度（＝不適温度）の場合、浴槽９へ給湯操作すると、制御器１６は浴槽給湯弁５６を開けず、貯湯槽排水弁１８を開け、湯を排水するという安全機能が作動する。前記不適温度の場合、表示器１５に設けられたランプ１９が点滅し、異常事態を報知する。
【００４４】
退浴に際しては、実施例を前述の入浴の作動とは、ほぼ逆の手順で作動させる。即ち、先ず、浴槽９に貯まった湯を排水し、浴槽９を空にする。次に、可撓チ
ューブ１１内の空気を排気し、可撓チューブ１１を収縮させシール作用を解く。続いて、左、右サイドカバー３ａ、３ｂを開回動して車椅子５の側壁８から離間させる。前記離間を行なうとロック金具１２も車椅子５から離間し、固定機構６の固定作用が解除される。
【００４５】
浴槽９の前記排水作動と、可撓チューブ１１の前記排気作動と、左、右サイドカバー３ａ、３ｂの前記開回動は順次連動する。
次に、人体載置部４を前方回動させ、リクライニング姿勢を腰掛け姿勢に戻し、車椅子５を左、右サイドカバー３ａ、３ｂの間から引き出し、入浴を終わる。
【００４６】
図１６に示す第２実施例は、第１実施例に係る案内路２０を、該案内路２０より長い延長案内路５７に代えたものである。
第２実施例では、延長案内路５７が左、右サイドカバー３ａ、３ｂの開口端部と略同じ程度に突出しているので、車椅子５を入浴位置にセッティングする時、早期に案内作用が開始され、左、右サイドカバー３ａ、３ｂの間に車椅子５を押し込み易い。延長案内路５７は車椅子５を左、右サイドカバー３ａ、３ｂ間の中央に位置させる。
第２実施例では、サイドカバー３は固定式であって回動しない。左、右サイドカバー３ａ、３ｂは開かないのでその分、左、右サイドカバー３ａ、３ｂ間の隙間が狭いので、延長案内路５７を長尺にして突き出し、車椅子５をサイドカバー３の間隔へ入れ易くしている。車椅子５を、左、右サイドカバー３ａ、３ｂの間隔内へ押し込み、左、右サイドカバー３ａ、３ｂに押圧するだけで自動的にシールできる。
第２実施例では、固定機構６は、車椅子５が所定位置に達した時車椅子検出スイッチ３０の出力信号を得て進出する進退ロック金具５８とする。進出した進退ロック金具５８は、車椅子５が逆戻りしないように該車椅子５を固定する。
【００４７】
【発明の効果】
本発明に係る人体載置部４を後傾回動させた車椅子５は、左、右サイドカバー３ａ、３ｂ間に押し込むだけで、該左、右サイドカバー３ａ、３ｂに人体載置部４の左、右側壁８ａ、８ｂがシールされ浴槽９が形成されるものであって、車椅子５が浴槽９に変わる直接入浴装置に加え、人体載置部４が先細形状である為、又、仰臥位入浴方式の為、ゆったり入浴しながら、大幅に省湯量化が図れ、好都合である。
又、左、右サイドカバー３ａ、３ｂは進入側（＝開口端側）が漸広であるから、車椅子５を差し込み易い。
【００４８】
又、車椅子５で入浴するのであるが、キャスター２５が浴湯内に入らないため、衛生的であり、好都合である。
【００４９】
本発明に係る左、右サイドカバー３ａ、３ｂが閉移動すると、左、右サイドカバー３ａ、３ｂが、車椅子５の人体載置部４の左、右側壁８ａ、８ｂに水密に押圧し、浴槽９が形成される。
左、右サイドカバー３ａ、３ｂが閉移動する前の段階の、左、右サイドカバー３ａ、３ｂが開いている時は一層開口端側が広いので、又、車椅子５が先細形状であるので、車椅子５を差し込み易く、好都合である。
【００５０】
本発明は、左、右サイドカバー３ａ、３ｂが、閉移動すると左、右サイドカバー３ａ、３ｂの間隔中に押し入れられた車椅子５の人体載置部４の側壁８に所定の僅少距離をもって接近し、続いて、左、右サイドカバー３ａ、３ｂに設けたシール材１３が膨張して人体載置部４に水密に当接し浴槽９が形成されるから、左、右サイドカバー３ａ、３ｂが閉移動した時、指を詰めるといった危険が無く安全であり、好都合である。
【００５１】
又、左、右サイドカバー３ａ、３ｂを人体載置部４の側壁８に接近させるだけであるから、開閉駆動体５４の駆動能力は小さいものでよく、開閉駆動体５４を小型化でき製作経費も安価となり、好都合である。
【００５２】
本発明に係る人体載置部４は、所定幅を有した先細形状の水を透過しない硬性板状部材を、人体を座位並びに仰臥位に支持できるよう側面視Ｗ字形状に屈曲して形成されたものである。
【００５３】
車椅子５は、簡単な構造であるため、故障の確率も低く、安価に製作でき、又、先細のためサイドカバー３間に差し込み易く、好都合である。
更に、車椅子５が、先細でありその上側面視略Ｗ字形状のため、大幅に省湯量化が図れ、好都合である。
【００５４】
本発明に係るシール材１３は可撓チューブ１１であり、左、右サイドカバー３ａ、３ｂには、人体載置部４に当接する位置に左、右可撓チューブ１１ａ、１１ｂが設けられ、前記左、右可撓チューブ１１ａ、１１ｂは、連通し、一個のコンプレッサー１４で同圧に制御できる。車椅子５とサイドカバー３とのシールは可撓チューブ１１の加減圧方式のため、車椅子５の歪やシール部分の間隔の誤差（＝不均等）にも追従し易いためシールが確実にでき、車椅子５の製作が容易となり、好都合である。
【００５５】
特に、シール部分の面積が広い場合や、シール部分の間隔に歪があるものの場合は、可撓チューブ１１が柔軟に膨張し均等な圧力で密着するのでそれらのシール部分を確実にシールでき、有利となる。
又、コンプレッサー１４の操作により可撓チューブ１１の空気圧の調整を容易に調整でき、該調整によってシール部分を確実にシールでき、好都合である。
【００５６】
又、人体載置部４の両側壁８ａ、８ｂの可撓チューブ１１圧は同じであり、均等にシールでき、好都合である。
更に、シール機構部３１は、コンプレッサー１４と可撓チューブ１１のみで構成されるから安価に製作でき、好都合である。
【００５７】
本発明は、サイドカバー３の開閉時及び湯の移動時に発音する表示器１５が付加設置されるものであるから、サイドカバー３の開閉や湯の移動時には、表示器１５から発せられる音声ガイドで報知するため安全であり、好都合である。
【００５８】
本発明は、貯湯槽１７の湯が高温の時に、湯を車椅子５へ移動させようとすると、湯は排水され且つ表示器１５にアラーム表示がなされる。入浴に適さない高温の湯が貯湯槽１７に貯まっている時は湯を排水し、当該事象を表示器１５で報知するので、安全であり、好都合である。
【００５９】
本発明は、入浴可能状態の所定位置にセッティングした車椅子５が前方に移動しないように案内路２０で阻止し、固定機構６はサイドカバー３に設けられるロック金具１２でなり、所定位置にセッティングした車椅子５が後方に移動しないように阻止する。
【００６０】
案内路２０は、車椅子５とサイドカバー３ａ、３ｂの相互間隔を左右均等に為し、車椅子５をサイドカバー３ａ、３ｂに接触することなく、所定位置へ案内するので、車椅子５を所定位置へ容易にセッティングでき、入浴準備を確実に行なえ、好都合である。
【００６１】
本発明には、サイドカバー３の可撓チューブ１１に当接し人体載置部４の側面にその延長方向に添って凸条１０が設けられるから、シール作用が強化でき、水漏れを無くすることが出来、好都合である。
【図面の簡単な説明】
【図１】本発明の実施例の本体部の左側面図である。
【図２】本発明の実施例の本体部の平面図である。
【図３】本発明の実施例の車椅子の右側面図である。
【図４】本発明の実施例の車椅子の平面図である。
【図５】本発明の実施例の左側面図である。
【図６】本発明の実施例の平面図である。
【図７】本発明の実施例の車椅子の右側面図である。
【図８】本発明の実施例の本体部の正面図である。
【図９】本発明の実施例の開閉駆動体を示す図である。
【図１０】本発明の実施例の開閉駆動体を示す図である。
【図１１】本発明の実施例のサイドカバーを示す図である。
【図１２】本発明の実施例のシール材を示す図である。
【図１３】本発明の実施例の配管系統図である。
【図１４】本発明の実施例の車椅子の正面図である。
【図１５】本発明の実施例の車椅子の背面図である。
【図１６】本発明の第２実施例の平面図である。
【符号の説明】
１    浴室床
２    本体部
３    サイドカバー
３ａ  左サイドカバー
３ｂ  右サイドカバー
４    人体載置部
５    車椅子
６    固定機構
８    側壁
８ａ  左側壁
８ｂ  右側壁
９    浴槽
１０    凸条
１１    可撓チューブ
１１ａ  左可撓チューブ
１１ｂ  右可撓チューブ
１２    ロック金具
１３    シール材
１４    コンプレッサー
１５    表示器
１７    貯湯槽
２０    案内路
２１    ガイドローラー
５４    開閉駆動体
【図１】
2004148038.tif 000003
【図２】
2004148038.tif 000004
【図３】
2004148038.tif 000005
【図４】
2004148038.tif 000006
【図５】
2004148038.tif 000007
【図６】
2004148038.tif 000008
【図７】
2004148038.tif 000009
【図８】
2004148038.tif 000010
【図９】
2004148038.tif 000011
【図１０】
2004148038.tif 000012
【図１１】
2004148038.tif 000013
【図１２】
2004148038.tif 000014
【図１３】
2004148038.tif 000015
【図１４】
2004148038.tif 000016
【図１５】
2004148038.tif 000017
【図１６】
2004148038.tif 000018